(57)【要約】  【課題】小流量を高精度で計測し、かつ大流量を低損失で計測できる。  【解決手段】流路１内に絞り２を設け、この絞りの前後の差圧を差圧計測器３によって計測する。絞り２は、固定オリフィス２１と、ばね部材２３によってこの固定オリフィスに押し付けられる可動オリフィス２２とを有する。固定オリフィス２１には、第１の中央孔２１ａと溢流孔２１ｂとが開口する。可動オリフィス２２には、第１の中央孔２１ａより径の大きい第２の中央孔２２ａが開口する。小流量の場合には、径の小さい第１の中央孔２１ａを流体が高速で通過するため、精度良く流量を計測できる。大流量の場合には、固定オリフィス２１と可動オリフィス２２との間に隙間２４が生じ、絞り２の流路面積が拡大する。このため圧力損失が過大になることを回避しつつ流量を計測できる。【選択図】  図２
2010266208.tif 000002
【特許請求の範囲】
【請求項１】
流路内に設けた絞りと、この絞りの前後の差圧を計測する差圧計測器とを備え、
上記絞りは、上記流路内に固定された固定オリフィスと、この固定オリフィスの下流側においてこの流路内に摺動自在に挿入された可動オリフィスと、この流路内に挿着されると共にこの可動オリフィスを固定オリフィスに押し付けるばね部材とを有し、
上記固定オリフィスは、中央部に開口する第１の中央孔と、この第１の中央孔の周囲に開口する溢流孔とを有し、
上記可動オリフィスの中央部には、上記第１の中央孔より径の大きい第２の中央孔が開口し、
上記ばね部材の押し付け力は、流量が所定の値を超えるときに上記可動オリフィスが固定オリフィスから離れる値に設定してある
ことを特徴とする絞り式流量計。
【請求項２】
流路内に設けた絞りと、この絞りの前後の差圧を計測する差圧計測器とを備え、
上記絞りは、上記流路内に固定された固定オリフィスと、この固定オリフィスの下流側面に突設された筒状部材と、この筒状部材の内周面に摺動自在に挿入された可動オリフィスと、この筒状部材内に挿着されると共に、この可動オリフィスを固定オリフィスに押付けるばね部材とを有し、
上記固定オリフィスの中央部には、第１の中央孔が開口し、
上記筒状部材は、上記第１の中央孔の径より大きい内径を有し、
上記筒状部材の周壁には、この筒状部材の上流側部分において溢流孔が開口し、
上記可動オリフィスの中央部には、上記第１の中央孔より径の小さい第２の中央孔が開口し、
上記ばね部材の押し付け力は、流量が所定の値を超えるときに、上記可動オリフィスが固定オリフィスから離れる値に設定してある
ことを特徴とする絞り式流量計。
【請求項３】
請求項１または２のいずれかにおいて、上記流体は、水、または水と泡原液との混合流体のいずれかからなる消火液であって、
上記消火液が混合流体のときには、この混合流体の流量は、上記所定の値を超えない範囲である
ことを特徴とする絞り式流量計。
【発明の詳細な説明】
【技術分野】
【０００１】
本発明は、絞り式流量計に関し、特に計測する流量の範囲が広い流量計に関する。
【背景技術】
【０００２】
従来から、気体あるいは液体の流量を計測する手段として、絞り式流量計が多用されている。この絞り式流量計は、流路内にオリフィス、ノズル、またはベンチュリー管等の絞りを設けて、この絞りの上流側と下流側とにおいて気体あるいは液体の静圧を計測し、両者の差圧から流量を求める。
【０００３】
ところで絞りにおける差圧は、絞りを通過する流速のほぼ二乗、すなわち流量のほぼ二乗に比例するため、流量の増加にしたがって急激に増大する。このため計測する流量の範囲が広い場合には、次の問題が生じる。すなわち流量が少ない場合に精度良く計測するためには、絞りの流路面積を小さくして絞りを通過する流速を高め、これにより精度良く計測できる程度の差圧を生じさせる必要があるが、絞りにおける圧力の損失は、流速の二乗に比例するため、流量が多くなると、圧力の損失が急激に大きくなってしまう。逆に流量が多いときの圧損をある程度抑えるために、絞りの流路面積を大きくして絞りを通過する流速が過大にならないようにすると、流量が少ない場合には、差圧が少なくなり、流量を精度良く計測することが困難となる。このように絞りの流路面積が固定の場合は、小流量を高精度で計測し、かつ大流量を低損失で計測することは、相互に矛盾するために困難となる。
【０００４】
このような問題を回避しつつ、広い流量の範囲の計測が可能な流量計が各種提案されている。例えば流量が少ない場合と多い場合とで、絞りの流路面積が異なる２種類のオリフィスを交換する手段であって、このオリフィスの交換を容易にするものがある（例えば特許文献１参照。）。また流路が円形のオリフィスに、先細の可動コアの先端部を挿入して、この可動コアを流れ方向に移動することによって、オリフィスと可動コアの先端部との隙間を増減し、これにより絞りの流路面積を可変にする手段がある（例えば特許文献２参照。）。
【０００５】
またオリフィスの流路を正三角形にして、この正三角形の一辺に可動平板を重ね、この可動平板をスライドすることによって、正三角形の面積を可変にする手段がある（例えば特許文献３参照。）。さらにバイパス流路を設けて、大流量の場合にはオリフィスによって計測し、小流量の場合にはバイパス流路に切替えて、例えばタービン型流量計によって計測する手段がある（例えば特許文献４参照。）。
【先行技術文献】
【特許文献】
【０００６】
【特許文献１】特開平６−１７４５１０号公報（第２頁、第１図）
【特許文献２】特開平１０−９００２７号公報（第２−３頁、第１図）
【特許文献３】特開２００８−２２４４６６号公報（第４頁、第２図）
【特許文献４】特開平６−１７４５１０号公報（第２頁、第１図）
【発明の概要】
【発明が解決しようとする課題】
【０００７】
しかしながら、上述した手段には、いずれも改良すべき点がある。すなわち特許文献１に記載された手段では、２種類のオリフィスを交換する手間が必要となる。また特許文献２及び３に記載された手段では、オリフィスの流路面積を替えるための機材、例えばアクチュエータとその制御機器とが必要となると共に、構成が複雑になり、製造コストが嵩む。さらに特許文献４に記載された手段では、バイパス経路、２種類の流量計、及び流路の切替え手段が必要となり、構成が複雑になると共に、製造コストが嵩む。
【０００８】
そこで本発明の目的は、小流量を高精度で計測し、かつ大流量を低損失で計測可能な絞り式流量計を、低コストで提供することにある。
【課題を解決するための手段】
【０００９】
上記課題を解決すべく、本発明による絞り式流量計の第１の特徴は、流路内に設けた絞りと、この絞りの前後の差圧を計測する差圧計測器とを備え、この絞りは、この流路内に固定された固定オリフィスと、この固定オリフィスの下流側において、この流路内に摺動自在に挿入された可動オリフィスと、この流路内に挿着されると共に、この可動オリフィスを固定オリフィスに押し付けるばね部材とを有していることにある。
【００１０】
上記固定オリフィスは、中央部に開口する第１の中央孔と、この第１の中央孔の周囲に開口する溢流孔とを有し、上記可動オリフィスの中央部には、上記第１の中央孔より径の大きい第２の中央孔が開口している。上記ばね部材の押し付け力は、流量が所定の値を超えるときに上記可動オリフィスが固定オリフィスから離れる値に設定してある。
【００１１】
そして上記可動オリフィスが固定オリフィスに押し付けられているときには、流体は、この固定オリフィスの第１の中央孔及びこの固定オリフィスに接する上記可動オリフィスの第２の中央孔を通過する。上記可動オリフィスが固定オリフィスから離れているときには、上記流体は、この固定オリフィスの第１の中央孔と溢流孔との双方、この固定オリフィスと可動オリフィスとの隙間及びこの可動オリフィスの第２の中央孔を通過する。
【００１２】
本発明による絞り式流量計の第２の特徴は、流路内に設けた絞りと、この絞りの前後の差圧を計測する差圧計測器とを備え、この絞りは、この流路内に固定された固定オリフィスと、この固定オリフィスの下流側面に突設された筒状部材と、この筒状部材の内周面に摺動自在に挿入された可動オリフィスと、この筒状部材内に挿着されると共に、この可動オリフィスを固定オリフィスに押付けるばね部材とを有していることにある。
【００１３】
上記固定オリフィスの中央部には、第１の中央孔が開口し、上記筒状部材は、上記第１の中央孔の径より大きい内径を有している。上記筒状部材の周壁には、この筒状部材の上流側部分において溢流孔が開口し、上記可動オリフィスの中央部には、上記第１の中央孔より径の小さい第２の中央孔が開口している。上記ばね部材の押し付け力は、流量が所定の値を超えるときに、上記可動オリフィスが固定オリフィスから離れる値に設定してある。
【００１４】
そして上記可動オリフィスが固定オリフィスに押し付けられているときには、流体は、この固定オリフィスの第１の中央孔及びこの固定オリフィスに接する上記可動オリフィスの第２の中央孔を通過する。上記可動オリフィスが固定オリフィスから離れているときには、上記流体は、この固定オリフィスの第１の中央孔、この固定オリフィスと可動オリフィスとの隙間、及び上記筒状部材の溢流孔とこの可動オリフィスの第２の中央孔とを通過する。
【００１５】
上記流体は、水、または水と泡原液との混合流体のいずれかからなる消火液であって、この消火液が混合流体のときには、この混合流体の流量は、上記所定の値を超えない範囲になるように構成してもよい。
【００１６】
ここで「絞り」とは、流体の通過面積を小さくした流路を意味する。「差圧を計測する差圧計測器」は、複数位置の圧力の相違を計測できるものであれば、その形式を問わない。例えばＵ字管のような目視で計測するもの、絞り前後の圧力を電気信号に変換して、両者の電気信号の相違から差圧を表示するように自動計測するものが該当する。「オリフィス」とは、広く流体が通過する開口孔や開口スリットを有する機材を意味するが、開口孔や開口スリットの形状、及び数を問わない。また開口孔や開口スリットが設けてあれば、平板形状に限らず、先端部が下流側に向く円錐台等の三次元的な形状も含む。
【００１７】
「ばね部材」は、材質や形状は問わない。例えばコイルスプリング、リング状の皿ばねを積層したもの、板ばね、あるいは空気ばね等が該当する。「溢流孔」の形状や数は問わない。複数個の円形の開口孔を円周方向に等間隔で配置したもの、円周に沿う円弧状の開口スリット、あるいは円筒の周壁に設けた開口孔や開口スリット等が該当する。「筒状部材」は、固定オリフィスと同一部材で一体的に形成したものの他、固定オリフィスとは別部材であって、固定オリフィスに溶接等で連結したものも含む。また円筒に限らず、断面が多角形の筒も含む。
【００１８】
「筒状部材の上流側部分」とは、固定オリフィスの下流側面に接する筒状部材の端面から、所定の距離を隔てた下流側の位置までの領域を意味する。すなわち溢流孔が、固定オリフィスの下流側面に接する筒状部材の端面から下流側に向かって切り欠いたスリットの場合に限らず、この端面との間に所定の間隔を隔てて開口している場合も含む。「泡原液」とは、水と空気とを加えて混合することによって、空気の気泡を発生させる物質を意味し、例えば合成界面活性剤、泡消火薬剤、水成膜泡消火薬剤、蛋白質消火薬剤、及びフッ素蛋白消火薬剤が該当する。
【発明の効果】
【００１９】
流量が少ないときには、ばね部材によって、可動オリフィスが固定オリフィスに押し付けられて重なっているため、固定オリフィスに開口する第１の中央孔、または可動オリフィスに開口する第２の中央孔のうち、径の小さい方の中央孔が、絞り流路面積が最少となる。したがって径の小さい方の中央孔の径を、十分小さくすれば、小流量のときでも大きな差圧が生じるため、精度良く小流量の計測が可能となる。
【００２０】
流量が多いときには、可動オリフィスに掛かる流体の圧力が増大し、この流体の圧力がばね部材の押し付け力を上回と、可動オリフィスが固定オリフィスの下流面から離れて、両者の間に隙間が形成される。この隙間は、流量の増加に伴って広くなっていく。かかる場合には、流体は、径の小さい方の中央孔だけでなく、可動オリフィスと固定オリフィスとの間隙を経由して、固定オリフィスまたは筒状部材に開口する溢流孔も通過するようになるため、絞り流路面積が大きくなる。したがって流量が多いときでも、絞り流路における流速は過大にならず、圧損の増加を抑制できる。また計測範囲が広い高価な差圧計測器を使用することを回避できる。
【図面の簡単な説明】
【００２１】
【図１】小流量を計測するときの絞り式流量計の概略断面図である。
【図２】大流量を計測するときの絞り式流量計の概略断面図である。
【図３】可動オリフィスに重ねた固定オリフィスの正面図である。
【図４】小流量を計測するときの他の絞り式流量計の概略断面図である。
【図５】大流量を計測するときの他の絞り式流量計の概略断面図である。
【図６】絞り式流量計を適用した消火器の構成図である。
【図７】差圧と流量との関係の計測結果を示すグラフである。
【発明を実施するための形態】
【００２２】
図１〜図５を参照しつつ、本発明による絞り式流量計の構成を説明する。さて図１〜図３に示す絞り式流量計は、円形断面のステンレス管からなる流路１の内側に設けた絞り２と、この絞りの前後の差圧を計測する差圧計測器３とを備えている。絞り２は、流路１の内壁に溶接で固定された固定オリフィス２１と、この固定オリフィスの下流側において、この流路の内壁に摺動自在に挿入された可動オリフィス２２と、この流路内に挿着されると共に、この可動オリフィスを固定オリフィスに押し付けるコイルスプリング状のばね部材２３とを有している。
【００２３】
なお差圧を計測する差圧計測器３は、絞り２を挟んで上流側と下流側とにおいて、それぞれ流路１の周壁に取り付けた圧力トランスデューサ３１，３１と、この圧力トランスデューサからの電圧の相違に基づいて、両者間の差圧を表示する差圧表示計３２とを備えている。なおばね部材２３は、可動オリフィス２２と、流路１の内壁に設けたリング状のフランジ部１１との間に、所定の長さだけ圧縮された状態で挿着されている。
【００２４】
図３に示すように、固定オリフィス２１は、ステンレス製の板状部材であって、軸芯を中心として開口する第１の中央孔２１ａと、この第１の中央孔の周囲に、９０度ずつ隔てて開口する４個の溢流孔２１ｂとを有している。可動オリフィス２２も、ステンレス製の板状部材であって、軸芯を中心として開口する第２の中央孔２２ａを有している。可動オリフィス２２の第２の中央孔２２ａの直径は、固定オリフィス２１の第１の中央孔２１ａの直径より大きくしてある。またばね部材２３の押し付け力は、流量が所定の値を超えるときに、可動オリフィス２２が固定オリフィス２１の下流側面から離れる値に設定してある。
【００２５】
次に図１と図２とを参照しつつ、上述した絞り式流量計の動作を説明する。流体の流量が少ない場合は、図１に示すように、ばね部材２３によって、可動オリフィス２２が固定オリフィス２１に押し付けられており、両者は重なって密着している。したがって、固定オリフィス２１の溢流孔２１ｂは、可動オリフィス２２によって塞がれており、この固定オリフィスの第１の中央孔２１ａが、絞り２における最小流路面積となっている。したがって最小流路面積となる第１の中央孔２１ａの直径を小さくすれば、流量が少ない場合においても、この第１の中央孔を通過する流速を早くすることができる。したがって絞り２を挟んで十分な差圧が生じるため、小流量のときでも高精度な計測が可能となる。
【００２６】
図１に示す構成において、流体の流量が増加していくと、最小流路面積となる第１の中央孔２１ａの流速は、ほぼ流量に比例して増大し、この第１の中央孔における圧力損失は、通過する流速の二乗に比例して増大する。したがって固定オリフィス２１の上流側の流体圧力が、可動オリフィス２２の下流側の流体圧力より急激に高くなる。このため固定オリフィス２１の溢流孔２１ｂにおいて、可動オリフィス２２を下流側に向かって押す力が増大する。流量が増大するに伴い、可動オリフィス２２を下流側に向かって押す力はさらに増大し、ばね部材２３の押し付け力より大きくなると、図２に示すように、可動オリフィス２２が固定オリフィス２１から離れて、両者の間に軸方向の隙間２４が開くようになる。
【００２７】
図２に示すように、固定オリフィス２１と可動オリフィス２２との間に軸方向の隙間２４が開くと、流体は、この固定オリフィスの溢流孔２１ｂからも、この隙間を経由して、この可動オリフィスの第２の中央孔２２ａを通過するようになる。したがってこの状態における絞り２の最小流路面積は、固定オリフィス２１の第１の中央孔２１ａと、溢流孔２１ｂ又は隙間２４の流路面積が少ない方とを加えたものとなり、この絞りの最小流路面積は、不連続的に拡大する。なお流体の流量がさらに増加していくと、隙間２４が広がるため、絞り２の最小流路面積は、さらに拡大する。したがって、流量が多いときでも、絞り２における流速が過大になることが抑制でき、この絞りにおける圧力損失の増加を回避できる。
【００２８】
次に図４〜図５を参照しつつ、絞り式流量計の他の形態を説明する。なお図１〜図３に示した構成部品や部位と同等のものは、参照の便宜等のため、図１〜図３に示した符号に一律１００を加えた符号にしている。さて図４に示すように、この絞り式流量計は、円形断面のステンレス管からなる流路１０１の内側に設けた絞り１０２と、この絞りの前後の差圧を計測する差圧計測器１０３とを備えている。絞り１０２は、流路１０１の内壁に溶接で固定された固定オリフィス１２１と、この固定オリフィスの下流側面に突設された筒状部材１２５と、この筒状部材の内周面に摺動自在に挿入された可動オリフィス１２２と、この筒状部材内に挿着されると共に、この可動オリフィスを固定オリフィスに押し付けるコイルスプリング状のばね部材１２３とを有している。
【００２９】
なお差圧を計測する差圧計測器１０３は、絞り１０２を挟んで上流側と下流側とにおいて、それぞれ流路１０１の周壁に取り付けた圧力トランスデューサ１３１，１３１と、この圧力トランスデューサからの電圧の相違に基づいて、両者間の差圧を表示する差圧表示計１３２を備えている。
【００３０】
図４に示すように、固定オリフィス１２１は、ステンレス製の板状部材であって、軸芯を中心として開口する第１の中央孔１２１ａを有している。筒状部材１２５は、円形断面のステンレス管からなり、内壁の下流端にリング状のフランジ部１２５ｂが形成してある。なおばね部材１２３は、可動オリフィス１２２と、筒状部材１２５のフランジ部１２５ｂとの間に、所定の長さだけ圧縮された状態で挿着されている。また筒状部材１２５は、固定オリフィス１２１の第１の中央孔１２１ａより大きい内径を有し、この筒状部材の周壁には、４個の矩形の溢流孔１２５ａが開口している。
【００３１】
可動オリフィス１２２も、ステンレス製の板状部材であって、軸芯を中心として開口する第２の中央孔１２２ａを有している。可動オリフィス１２２の第２の中央孔１２２ａは、固定オリフィス１２１の第１の中央孔１２１ａの直径より小さくしてある。またばね部材１２３の押し付け力は、流量が所定の値を超えるときに、可動オリフィス１２２が固定オリフィス１２１の下流側面から離れる値に設定してある。
【００３２】
次に図４と図５とを参照しつつ、上述した絞り式流量計の動作を説明する。流体の流量が少ない場合は、図４に示すように、ばね部材１２３によって、可動オリフィス１２２が固定オリフィス１２１に押し付けられており、両者は重なって密着している。したがって、可動オリフィス１２２の、径の小さい第２の中央孔１２２ａが、絞り１０２における最小流路面積となっている。このため最小流路面積となる第２の中央孔１２２ａの直径を小さくすれば、流量が少ない場合においても、この第２の中央孔を通過する流速を早くすることができる。したがって絞り１０２を挟んで十分な差圧が生じるため、小流量のときでも高精度な計測が可能となる。
【００３３】
図４に示す構成において、流体の流量が増加していくと、最小流路面積となる第２の中央孔１２２ａの流速は、ほぼ流量に比例して増大し、この第２の中央孔における圧力損失は、通過する流速の二乗に比例して増大する。したがって固定オリフィス１２１の第１の中央孔１２１ａの範囲において、可動オリフィス１２２の上流側面に掛かる圧力が、下流側面に掛かる圧力より急激に高くなり、この可動オリフィスを下流側に向かって押す力が増大する。流量が増大するに伴い、可動オリフィス１２２を下流側に向かって押す力はさらに増大し、ばね部材１２３の押し付け力より大きくなると、図５に示すように、可動オリフィス１２２が固定オリフィス１２１から離れて、両者の間に軸方向の隙間１２４が開くようになる。
【００３４】
なお図５は、図４に示す絞り１０２を、９０度回転させた場合の断面を示している。図５に示すように、固定オリフィス１２１と可動オリフィス１２２との間に軸方向の隙間１２４が開くと、流体は、この隙間と筒状部材１２５の溢流孔１２５ａとを経由して、この筒状部材の外側に流れるようになる。したがってこの状態における絞り１０２の最小流路面積は、可動オリフィス１２２の第２の中央孔１２２ａと、溢流孔１２５ａのうち、この可動オリフィスが後退して開口した部分とを加えたものとなり、この絞りの最小流路面積は、不連続的に拡大する。なお流体の流量がさらに増加すると、隙間１２４が広がるため、絞り１０２の最小流路面積は、さらに拡大する。したがって、流量が多いときでも、絞り１０２における流速が過大になることが抑制でき、この絞りにおける圧力損失の増加を回避できる。
【００３５】
ところで従来から、石油タンクや化学工場等の火災の消火には、水が使用できないため、消火用泡による消火が行われている。この消火用泡を作り出す方法として、「自由混合型」と「高圧の予混合型」との２通りの型が有る。ここで「高圧の予混合型」は、泡原液と水と空気との混合液に乱流を発生させて、これにより微細で均一な泡を発生させ、この発泡させた消火用泡を放出ノズルから放出する。
【００３６】
消防車等に搭載される消火器は、通常同一の消火ノズルを使用して、消火対象に応じて、水だけを放射する場合と、消火用泡を放射する場合とを切り替えることができる。ここで消火用泡を放射する場合の流量は、水だけを放射する場合に較べて、かなり少量で足りるが、空気を混合させて発泡させる前の泡原液の流量を、正確に制御する必要があり、このため泡原液の流量を高精度に計測する必要がある。なお水だけを単独で放射する場合は、流量を高精度で計測する必要はない。
【００３７】
図６に、消火液として水だけを放射する場合と、消火用泡を放射する場合を切り替えることができる消火器に、図１〜図３に示す絞り式流量計を適用した形態を示す。図６に示すように、この消火器は、図中左端において、水タンクあるいは外部水源等からポンプＰによって水を供給し、この水は、本発明による絞り式流量計及び発泡器を介して、噴射ノズルに至る。また水の供給位置と絞り式流量計との間において、泡原液が、開閉弁１を介してポンプＰによって供給される。さらに絞り式流量計と発泡器との間において、空気が開閉弁２を介してポンプＰによって供給される。
【００３８】
水だけで消火する場合には、開閉弁１及び開閉弁２を閉じて、噴射ノズルから水だけを噴射する。この水だけで消火する際は、流量が多くなると、絞り２では、上述したように、固定オリフィス２１と可動オリフィス２２との間に隙間２４が生じて、絞り流路面積が大きくなる。このため流量が多くなっても、絞り２において、圧力損失が過大になることを回避することができる。なお流量が少ないうちは、上述したように、直径が小さい方の第１の中央孔２１ａが、最少の絞り流路面積となるが、流速が遅いため、大きな圧力損失は生じない。
【００３９】
消火用泡で消火する場合には、開閉弁１及び開閉弁２を開いて、水に泡原液と空気とを加え、発泡器において発泡させて、消火用泡を噴射ノズルから噴射する。
消火用泡で消火する場合には、少ない流量で足りるが、細かく均一な泡を発泡させるためには、水に泡原液を加えた混合液の流量を正確に計測し、適正な量の空気を供給する必要がある。しかるに水に泡原液を加えた混合液は、小流量で足りるため、絞り２では、上述したように、固定オリフィス２１と可動オリフィス２２とが密着した状態となる。
【００４０】
したがって直径が小さい方の第１の中央孔２１ａが、最少の絞り流路面積となる。そこでこの第１の中央孔２１ａの直径を小さくしておけば、流量が少ない場合においても、この第２の中央孔を通過する流速を早くすることができる。したがって絞り２を挟んで十分な差圧が生じるため、水に泡原液を加えた小流量の混合液を、高精度に計測することができる。
【００４１】
すなわち少量の消火用泡によって消火する場合には、小さな流路面積の絞り２によって、水に泡原液を加えた小流量の混合液を、高精度に計測することができ、
多量の水だけで消火する場合には、この絞りの流路面積が広がることによって、圧力損失が過大になることを回避できる。
【００４２】
なお水、泡原液、及び空気の供給量は、ポンプＰの回転数を変えることによって増減する。また発泡器では、流路を狭めて乱流を生じさせ、この乱流によって、水、泡原液、及び空気を十分攪拌混合して、発泡させる。
【００４３】
なお図４と図５に示した絞り式流量計を、上述した消火器に適用することも容易にできる。
【実施例１】
【００４４】
図７に、図４〜図５に示した絞り式流量計について、流量（Ｌ／ｍｉｎ）と絞り１０２の前後の差圧（ＭＰａ）を計測した結果を示す。なお固定オリフィス１２１の第１の中央孔１２１ａの径は、５２ｍｍである。可動オリフィス１２２の外径は５４ｍｍ、第２の中央孔１２２ａの径は２６ｍｍであり、溢流孔１２５ａの流路面積は約２３００ｍｍ２である。ばね部材１２３のばね定数は、０．８２９Ｋｇｆ／ｍｍであって、図４に示す初期圧縮量を、８ｍｍと１５．５ｍｍとの２とおりに変えて計測した。
【００４５】
図７に示すように、流量と差圧との関係は、流量が少ない場合には、差圧が２次曲線的に増加し、所定の流量範囲において高い感度を示す。一方、所定の流量範囲を超えると流量に対する差圧の増加率が大幅に小さくなり、低い圧損を示す。
すなわち流量が少ない場合には、可動オリフィス１２２の小さな流路面積の第２の中央孔１２２ａのみによる差圧が計測され、流量が所定の値を超えると、固定オリフィス１２１とこの可動オリフィスとの間に隙間１２４が生じて、流路面積が不連続に拡大することが確かめられた。
【産業上の利用可能性】
【００４６】
本発明による絞り式流量計は、小流量を高精度で計測し、かつ大流量を低損失で計測可できるため、流量計に関する産業に広く利用可能である。
【符号の説明】
【００４７】
１、１０１              流路
２、１０２              絞り
２１、１２１            固定オリフィス
２１ａ、１２１ａ        第１の中央孔
２１ｂ                  溢流孔
２２                    可動オリフィス
２２ａ、１２２ａ        第２の中央孔
２３、１２３            ばね部材
２４、１２４            隙間
１２５                  筒状部材
１２５ａ                溢流孔
３、１０３              差圧計測器
３１、１３１            圧力計
３２、１３２            差圧計
【図１】
2010266208.tif 000003
【図２】
2010266208.tif 000004
【図３】
2010266208.tif 000005
【図４】
2010266208.tif 000006
【図５】
2010266208.tif 000007
【図６】
2010266208.tif 000008
【図７】
2010266208.tif 000009